(57)【特許請求の範囲】
【請求項１】
腰天（１６）回りにウエストバンド（１７）が、足ぐり（２５）回りにレッグバンドが設けられ、クロッチ部（１８）が生理用ナプキン（３０）の装着部とされた生理用ショーツにおいて、
前身頃（１３）と後身頃（１４）を構成する腰当て布（１１，１２）と、クロッチ部（１８）に位置する股布（１９）とを有し、後身頃（１４）には、前記クロッチ部から前記腰天にかけて吊上げ弾性部材（２８）が設けられており、
前身頃（１３）と後身頃（１４）とが接した折り状態では、前記股布（１９）の左右両側部が、前身頃（１３）と後身頃（１４）の下辺より下方へ突出し、
身体に装着される立体形状では、前記股布（１９）の幅方向の中央部分が身体の股間部側へ持ち上げられて、腰当て布（１１，１２）と股布（１９）とで、大腿部回りに装着される足ぐり（２５）が形成され、
立体形状のときの、前記クロッチ部（１８）から前記腰天（１６）までの股上丈（ＬＡ）と、前記足ぐり（２５）から前記腰天までの最短部の身丈（ＬＢ）との寸法比が、前記股上丈（ＬＡ）の１００に対して前記身丈（ＬＢ）が８０〜２００となることを特徴とする生理用ショーツ。
【請求項２】
立体形状での、前記クロッチ部（１８）の中央から足ぐり（２５）までの股下丈（Ｈ）が３０ｍｍ以上である請求項１記載の生理用ショーツ。
【請求項３】
前記股布（１９）は、前後方向へ弾性伸縮可能な伸縮生地で形成されており、この股布（１９）の内側に生理用ナプキンを装着するナプキン装着布（２２）が設けられ、このナプキン装着布の前縁と後縁とが前縫合部（２３）と後縫合部（２４）とで前身頃（１３）と後身頃（１４）に縫合され、中間部が前記股布（１９）に縫合されていない請求項１または２記載の生理用ショーツ。
【請求項４】
前縫合部（２３）と後縫合部（２４）との間での、前記股布（１９）の自由長１００に対して、前記ナプキン装着布（２２）の長さが１１０〜１５０である請求項３記載の生理用ショーツ。
【請求項５】
前記ナプキン装着布（２２）の幅寸法（Ｗａ）１００に対して、前記股布（１９）の股幅寸法（Ｗｂ）が１２５〜１７５０である請求項３または４記載の生理用ショーツ。
【請求項６】
股布（１９）は、前記前縫合部（２３）と前記後縫合部（２４）において前身頃（１３）と後身頃（１４）にそれぞれ縫合されており、前記前縫合部と前記後縫合部が、前記足ぐり（２５）の縁まで延びている請求項３ないし５のいずれかに記載の生理用ショーツ。
【請求項７】
前記吊上げ弾性部材（２８）は、前記後縫合部（２４）において前記股布（１９）の後縁に連結されている請求項６記載の生理用ショーツ。
【請求項８】
前記吊上げ弾性部材（２８）の縦弾性率が、前記レッグバンドの縦弾性率に対して±１０％の範囲内である請求項１ないし７のいずれかに記載の生理用ショーツ。
【請求項９】
前記吊上げ弾性部材（２８）の縦弾性率｛（収縮力（Ｎ）／引張歪（％））×１００｝が、７．５〜１０Ｎの範囲である請求項８記載の生理用ショーツ。
【発明の詳細な説明】
【０００１】
【発明の属する技術分野】
本発明は、クロッチ部に生理用ナプキンを装着する生理用ショーツに係り、特に生理用ナプキンをしっかり保持して位置ずれを防止でき、しかも体への締付違和感が生じ難い生理用ショーツに関する。
【０００２】
【従来の技術】
生理用ショーツは、クロッチ部に装着された生理用ナプキンを身体の股間部に動くことなく確実に保持させ、生理用ナプキンの股間部での位置ずれを防止することが要求される。
【０００３】
そのために従来種々の工夫がなされている。例えば特開平７−１３６２１４号公報、特開平８−２９９３８６号公報、実開昭６２−２１３２４号公報および実開昭５０−２５１４号公報などには、ショーツのクロッチ部の内側にナプキン装着布が設けられ、このナプキン装着布の前後縁部が前記クロッチ部に縫合されたものが開示されている。この従来例では、生理用ナプキンが装着される前記ナプキン装着布がショーツのクロッチ部と分離した挙動を示すために、ショーツがずれたときにその動きが直接に生理用ナプキンに及ばないようにできる。しかし、前記ナプキン装着布を設けただけでは、生理用ナプキンを股間部特に尻の隙間に確実にフィットさせることが困難である。
【０００４】
そこで、前記ナプキン装着布を設けたもの、あるいは設けないものにおいて、図７に示すように、前記生理用ナプキンを股間部に密着させるための弾性押圧手段を設けたものがある。図７は弾性押圧手段を用いた生理用ショーツ１の装着状態を後身頃２側から示したものである。
【０００５】
図７に示す生理用ショーツ１では、後身頃２において、クロッチ部４から腰天５にかけて弾性糸３が取付けられている。そして、身体に装着したときに、前記弾性糸３の吊上げ弾性力によりクロッチ部４の生理用ナプキンを股間部に押し付けようとするものである。
【０００６】
【発明が解決しようとする課題】
しかし、従来のこの種の生理用ショーツ１は、足ぐり６，６の外縁部６ａが腰天５に接近したいわゆるハイレッグタイプである。すなわち、足ぐり６の縁と腰天５との距離の最短寸法を身丈Ｌ２としたときに、この身丈Ｌ２は股上丈Ｌ１に対して４０％以下の長さである。この種の生理用ショーツ１において、生理用ナプキンの幅方向の両側部を股間部にフィットさせクロッチ部４の両側部での経血の横漏れを防止するためには、足ぐり６の回りにレッグバンド７を設けて股部分に締め付け力を与えることが必要である。
【０００７】
そのため、装着状態では、前記レッグバンド７によって、クロッチ部４に斜め上向きの引き上げ力Ｆ１，Ｆ１が作用し、この引き上げ力Ｆ１，Ｆ１が身体の股間部に作用する。しかも、図７に示す生理用ショーツ１では、身体に装着したとときに、レッグバンド７が４０％以上も伸ばされて装着されるために、前記引き上げ力Ｆ１，Ｆ１が大きくなり、その結果、レッグバンド７，７が股間部に食い込むようになる。
【０００８】
この状態において、前記弾性糸３の引き上げ力Ｆ２によって股間部に位置する生理用ナプキンの中央部を膣口に押し付けるためには、前記引き上げ力Ｆ２を、レッグバンド７，７による斜めの引き上げ力Ｆ１，Ｆ１よりもかなり大きくする必要がある。したがって、身体の股間部には引き上げ力Ｆ１，Ｆ１と前記引き上げ力Ｆ２の双方が強く作用し、股間部に与えられる食い込み力が大きくなる。
【０００９】
またクロッチ部４の中央部分が前記引き上げ力Ｆ２により上方へ引き上げられ、さらにクロッチ部４の両側部が前記引き上げ力Ｆ１，Ｆ１によって斜めに引き上げられるため、生理用ショーツ１のクロッチ部４が股幅寸法が縮まるように収束しやすくなる。よって、生理用ナプキンにも幅方向の収束力が作用し、生理用ナプキンが中央へ寄って、血液の吸収面積の低下を招く。
【００１０】
さらに図７に示すような形状の生理用ショーツ１では、例えば足ぐり６の股間部に近い例えば符号６ｂで示す箇所で、足ぐり６の縁部が捲くれ上がると、この捲くれ上がりがクロッチ部４まで伝播しやすくなっている。よって、クロッチ部４で縁がまくれるようになって、生理用ナプキンの装着状態がさらに不安定になる。
【００１１】
本発明は上記従来の課題を解決するものであり、生理用ナプキンを股間部にフィットさせやすく、しかも股間部への食い込みを軽減し、穿きごごちのよい生理用ショーツを提供することを目的としている。
【００１２】
【課題を解決するための手段】
本発明は、腰天回りにウエストバンドが、足ぐり回りにレッグバンドが設けられ、クロッチ部が生理用ナプキンの装着部とされた生理用ショーツにおいて、
前身頃と後身頃を構成する腰当て布と、クロッチ部に位置する股布とを有し、後身頃には、前記クロッチ部から前記腰天にかけて吊上げ弾性部材が設けられており、
前身頃と後身頃とが接した折り状態では、前記股布の左右両側部が、前身頃と後身頃の下辺より下方へ突出し、
身体に装着される立体形状では、前記股布の幅方向の中央部分が身体の股間部側へ持ち上げられて、腰当て布と股布とで、大腿部回りに装着される足ぐりが形成され、
立体形状のときの、前記クロッチ部から前記腰天までの股上丈と、前記足ぐりから前記腰天までの最短部の身丈との寸法比が、前記股上丈の１００に対して前記身丈が８０〜２００となることを特徴とするものである。
【００１３】
また、前記クロッチ部の中央から足ぐりまでの股下丈が３０ｍｍ以上であることが好ましい。
【００１４】
この生理用ショーツは、従来のものよりも身丈が長いため、前記レッグバンドは図７に示す従来のような股部周囲から腰骨のあたりまでを締め付けるのではなく、レッグバンドは装着者の大腿部を締め付けるようになる。したがって、股間部にレッグバンドによる斜めの引き上げ力が作用しなくなり、股間部への食い込みが生じなくなる。さらに股間部にレッグバンドによる大きな引き上げ力が作用しないために、後身頃に設けられた吊上げ弾性部材により股間部の生理用ナプキンが確実に上に吊上げられるようになる。
【００１５】
また本発明は、前記クロッチ部は前後方向へ弾性伸縮可能な伸縮生地で形成されており、このクロッチ部の内側に生理用ナプキンを装着するナプキン装着布が設けられ、このナプキン装着布の前縁と後縁とが前縫合部と後縫合部とで前記クロッチ部に縫合され、中間部が前記クロッチ部に縫合されていないものであることが好ましい。
【００１６】
本発明の生理用ショーツは、股下丈が３０ｍｍ以上と長くなって、足ぐりが大腿部回りに位置するため、クロッチ部の股幅が広くなる。よってこのクロッチ部の内側にナプキン装着布を設けることで、股幅の広いクロッチ部の内側でナプキンを前記クロッチ部と独立して確実に保持できるようになる。
【００１７】
例えば、前記ナプキン装着布の幅寸法１００に対して、前記クロッチ部の股幅寸法が１２５〜１７５０である。
【００１８】
また、前縫合部と後縫合部との間での、前記クロッチ部の自由長１００に対して、前記ナプキン装着布の長さが１１０〜１５０であることが好ましい。
【００１９】
この構成では、ナプキン装着布が前後方向へ伸びることなくあるいはわずかしか伸びないために、ナプキン装着布で生理用ナプキンをしっかり保持でき、しかもショーツのクロッチ部が伸ばされることで、前記ナプキン装着布とナプキンとが前記クロッチ部の弾性力で確実に股間部に押し付けられるようになる。
【００２０】
また、前記クロッチ部に伸縮生地の股布が位置し、この股布は前記前縫合部と前記後縫合部において前身頃と後身頃にそれぞれ縫合されており、前記前縫合部と前記後縫合部が、前記足ぐりの縁まで延びているものであってもよい。
【００２１】
このようにクロッチ部の股布が前身頃および前身頃と独立し、その前後が前身頃と後身頃に縫合されていると、足ぐりの部分が捲くれ上がっても、この捲くれ上がりがクロッチ部に伝播されなくなる。
【００２２】
また、前記吊上げ弾性部材は、前記後縫合部において前記股布の後縁に連結されていることが好ましい。
【００２３】
また、前記吊上げ弾性部材の縦弾性率が、前記レッグバンドの縦弾性率に対して±１０％の範囲内である。なお、本発明での縦弾性率は、｛（収縮力（Ｎ）／引張歪（％））×１００｝を意味し、よって単位は（Ｎ）である。
【００２４】
この発明では、股間部の生理用ナプキンが、後身頃の吊上げ弾性部材で吊上げられるので、レッグバンドの弾性力に比べて吊上げ弾性力の弾性力を極端に大きくする必要がない。
【００２５】
例えば、前記吊上げ弾性部材の前記縦弾性率は、７．５〜１０Ｎの範囲で十分である。
【００２６】
【発明の実施の形態】
図１は身体に装着していない本発明の生理用ショーツの一実施の形態を前身頃と後身頃とが接するように２つ折りした縫製状態を示す正面図、図２は２つ折りした縫製状態を示す背面図、図３は前記生理用ショーツが装着状態または立体形状となったものを前身頃側から示す斜視図、図４は前記装着状態または立体形状を後身頃側から示す斜視図、図５は生理用ショーツのクロッチ部を内側から示す部分斜視図、図６はクロッチ部の部分側面図である。
【００２７】
図１と図２に示すように、この生理用ショーツ１０は、２枚の腰当て布１１と１２が、前身頃１３において上下方向に延びる縫合線１５ａで縫合され、後身頃１４において縫合線１５ｂにより縫合されている。前記腰当て布１１と１２は、弾性伸縮性を有している。例えば、弾性伸縮性を有するポリウレタン繊維の糸と、肌にやさしい繊維であるナイロン繊維の糸とで形成された織布であり、例えばトリコットハーフ編みされた織布である。
【００２８】
前記前身頃１３と後身頃１４の上部が、腰天１６であり、この腰天１６の回りにウエストバンド１７が設けられている。このウエストバンドは、ポリウレタン繊維で形成された伸縮性織布、合成ゴムシート、天然ゴムシートなどで形成されている。
【００２９】
生理用ショーツ１０のクロッチ部１８には、股布１９が取付けられている。この股布１９は、前記腰当て布１１，１２と同様に、ポリウレタン繊維とナイロン繊維で編まれた弾性伸縮自在な伸縮布により形成されている。
【００３０】
図５に示すように、前記股布１９の内面には、弾性収縮自在で且つ防水機能を有する防水布２１が重ねられている。そして前記股布１９の両側部は前記防水布２１の上に折り返され、この折り返し部１９ａ，１９ａと前記防水布２１が股布１９に対して縫合線２０において縫合されている。また前記股布１９の内側にはナプキン装着布２２が重ねられている。このナプキン装着布２２は、通気性で且つ弾性伸縮自在な織布で形成されている。前記ナプキン装着布２２は、弾性伸縮性を有しない布で形成されていてもよい。
【００３１】
図５と図６に示すように、前記股布１９と防水布２１および前記ナプキン装着布２２のそれぞれの前縁は、前記前身頃１３を形成する腰当て布１１，１２に対して前縫合部２３において縫合されている。同様に、前記股布１９と防水布２１および前記ナプキン装着布２２のそれぞれの後縁は、前記後身頃１４を形成する腰当て布１１，１２に対して後縫合部２４において縫合されている。また前記前縫合部２３と後縫合部２４との間では、股布１９とナプキン装着布２２が接合されていない。
【００３２】
前記前縫合部２３と後縫合部２４との間では、前記股布１９の前後方向の長さ寸法Ｃ１よりも、前記ナプキン装着布２２の前後方向の長さ寸法Ｃ２の方が長い（図６参照）。その寸法比は、股布１９の長さＣ１を１００としたときに、前記ナプキン装着布２２の長さＣ２が１１０〜１５０である。前記長さＣ１は１００ｍｍ〜２００ｍｍであり、よって前記寸法Ｃ２は１１０〜３００ｍｍである。
【００３３】
前記股布１９の両側に足ぐり２５，２５が開口している。図５に示すように、前記足ぐり２５の周縁部では、前記腰当て布１１の縁部が折り返されて所定幅の折り返し部１１ａが形成され、また前記腰当て布１２の縁部が折り返されて所定幅の折り返し部１２ａが形成されている。この折り返し部１１ａ，１２ａは、縫合線２６により縫合されている。
【００３４】
前記生理用ショーツ１０は、前記腰当て布１１，１２が伸縮布により形成されているため、前記折り返し部１１ａ，１２ａの部分が足ぐり２５，２５回りのレッグバンドとなっている。また図５に示すように、股布１９の両側部も足ぐり２５，２５に現れているため、この股布１９の両側部の折り返し部１９ａ，１９ａもレッグバンドの一部として機能している。
【００３５】
図に示す生理用ショーツ１０では、前記のように腰当て布１１，１２および股布１９を折り返すことによりレッグバンドが形成されているが、このレッグバンドを前記腰当て布１１，１２および股布１９と独立した弾性バンドで形成し、この弾性バンドを足ぐり２５，２５の周囲に取付けてもよい。
【００３６】
また後身頃１４の内側では、前記腰当て布１１，１２の縫合線１５ｂに沿って吊上げ弾性部材２８が縫い付けられている。この吊上げ弾性部材２８は、ポリウレタンバンド、天然ゴムバンド、合成ゴムバンドなどであり、この吊上げ弾性部材２８は後身頃１４の中央部分において上端がウエストバンド１７に連結されている。また吊上げ弾性部材２８の下端は、前記後縫合部２４において前記股布１９の後縁と連結されている。
【００３７】
図５には、前記ナプキン装着布２２に装着される生理用ナプキン３０が示されている。生理用ナプキン３０は、不透液性のバックシート３１と透液性のトップシート３２との間に液吸収コア３３が挟まれた積層体である。前記生理用ナプキン３０の両側にはウイング部３０ａ，３０ａが一体に形成されている。前記バックシート３１の裏面には前記ナプキン装着布２２に粘着される粘着層が形成されており、前記ウイング部３０ａ，３０ａの背面にも粘着層が形成されている。
【００３８】
図３と図４には、身体へ装着された状態、または立体形状の状態を示しているが、ここでの立体形状とは、女性の標準体型のマネキン人形に生理用ショーツ１０を着用させた状態をいう。ここでの前記標準体型とは、ウエスト回りが６６ｃｍ、ヒップ回り９４ｃｍである。また股間部での水平方向の大腿部回りの寸法は５６．５ｃｍである。なお、図７に示す従来のショーツを穿かせたときに、足ぐり６が周回する部分の寸法は６３．５ｃｍであった。
【００３９】
図３と図４に示すように、この生理用ショーツ１０が身体に装着されたとき、または立体形状とされたときに、股布１９の中央部が、身体の股間部側へ持ち上げられるため、足ぐり２５，２５は身体の大腿部回りに装着される。すなわち、装着時または立体形状としたときの股布１９の中央部から腰天１６までの股上丈ＬＡと、足ぐり２５の縁のうちの腰天１６に最も近い位置における前記足ぐり２５の縁から腰天１６までの距離すなわち身丈ＬＢとの寸法比は、股上丈ＬＡの１００に対して、身丈ＬＢが８０〜２００である。例えば、前記股上丈ＬＡは２００ｍｍ〜３００ｍｍ程度である。よって身丈ＬＢは、１６０〜６００ｍｍ程度である。
【００４０】
足ぐり２５，２５が大腿部回りに位置するため、股間部に当たっている股布１９の中心部と、足ぐり２５の股側の縁との間の股下丈Ｈが大きくなる（図４参照）。この股下丈Ｈは最低でも３０ｍｍ以上必要であり、好ましくは４０ｍｍ以上である。その上限は、前記ＬＡに対してＬＢが２倍の場合、３００ｍｍ程度である。
【００４１】
また、前記股下丈Ｈが大きくなるため、図５に示すナプキン装着布２２の幅寸法Ｗａに対し、図１に示す股布１９の股幅寸法Ｗｂが十分に大きくなっている。
【００４２】
生理用ナプキン３０は、前記ナプキン装着布２２の上に設置されて、ナプキン３０のバックシート３１に設けられた粘着層により止められる。また生理用ナプキン３０にウイング部３０ａ，３０ａが設けられている場合には、ウイング部３０ａ，３０ａがナプキン装着布２２の左右両縁部に巻き付けるように折り返され、ウイング部３０ａ，３０ａの背面に設けられた粘着層が、ナプキン装着布２２の下面に止められる。
【００４３】
股布１９の幅寸法Ｗｂがナプキン装着布２２の幅寸法Ｗａよりも大きく、装着状態では、図４に示す股下丈Ｈが大きくなるため、前記ナプキン装着布２２と生理用ナプキン３０が動いたとしても、ナプキン装着布２２と生理用ナプキン３０が足ぐり２５，２５からはみ出すことがない。
【００４４】
また、身体に装着した状態で、生理用ショーツ１０を形成する腰当て布１１，１２および股布１９は前後方向に伸びるため、その弾性伸長力により、ナプキン装着布２２と生理用ナプキン３０とが身体の股間部に押し付けられる。このときナプキン装着布２２の縦方向の寸法Ｃ２が股布１９の寸法Ｃ１よりも長いため、ナプキン装着布２２は伸長せずあるいは伸長してもわずかである。よって、生理用ナプキン３０のバックシート３１に設けられた粘着層やウイング部３０ａ，３０ａに設けられた粘着層と、ナプキン装着布２２とが位置ずれすることがない。
【００４５】
また図４に示すように、後身頃１４に設けられた吊上げ弾性部材２８が縦方向へ伸びて弾性収縮力Ｆｂを発揮する。この弾性収縮力Ｆｂは、後身頃１４の中心部においてほぼ脊髄に沿い、さらに尻の中央の窪みおよび股間部に沿って、ほぼ直線的に作用する。図５および図６に示すように、前記吊上げ弾性部材２８は後縫合部２４において、股布１９の後縁の中央部に連結されているため、股間部に位置する股布１９の幅寸法を２分する中央線部分において股布１９に前後方向への大きな張力Ｔが作用する（図５参照）。
【００４６】
前記股布１９の中央線に沿う前記張力Ｔにより生理用ナプキン３０の中央部分が股間部に押し付けられ、液吸収コア３３の部分が膣口に密着させられる。よって生理用ナプキン３０の液吸収性が高まり、経血の横漏れが生じ難くなる。
【００４７】
また、足ぐり２５，２５のレッグバンドにより締付力Ｆａが作用するが（図４参照）、この締付力Ｆａは大腿部の周囲に沿って作用するため、レッグバンドの締付力Ｆａが股間部に大きな圧力を与えることがない。したがって股布１９が股間部に食い込む感触を低減できる。また股間部の生理用ナプキン３０には主に前記吊上げ弾性部材２８の弾性収縮力Ｆｂが作用するため、前記レッグバンドの締付力Ｆａを大きくしなくても、生理用ナプキン３０を股間部に密着させることができる。また、吊上げ弾性部材２８の弾性収縮力Ｆｂを過大にする必要がないため、前記弾性収縮力Ｆｂが身体に不快を与えることがない。
【００４８】
また、図３に示すように、股前部では、股布１９と前身頃１３とを接合する前縫合部２３が足ぐり２５の縁部まで延びている。同様に図４に示すように、股後部では、後縫合部２４が足ぐり２５の縁部まで延びている。よって、例えば図４において、足ぐり２５の符号２５ａで示す部分に捲くれ上がりが生じても、前記後縫合部２４によりこの捲くれ上がりが阻止され、股布１９まで捲くれ上がりが伝播することを防止できる。
【００４９】
次に、前記生理用ショーツ１０の各部の寸法および相互の寸法関係を説明する。
【００５０】
図３と図４に示すように、身体に装着したときまたは立体形状としたときに、股上丈ＬＡの１００に対して身丈ＬＢが８０〜２００となるには、図１と図２に示すように身体に装着されていない二つ折りの状態において、以下のような寸法関係となることが必要である。
【００５１】
図１に示すように２つ折り状態のときの股上丈Ｌａと身丈Ｌｂとの寸法比は、Ｌａの１００に対してＬｂが７０〜１９０である。また股上丈Ｌａは、腰当て布１１，１２の伸長率によって異なるが、例えば２３０〜３３０ｍｍである。よっ身丈Ｌｂは１６０〜６３０ｍｍ程度である。
【００５２】
図５に示すナプキン装着布２２の幅寸法Ｗａは、生理用ナプキン３０のウイング部３０ａ，３０ａを除いた本体部分の幅寸法とほぼ一致している。一般的な生理用ナプキンの前記幅寸法は４０〜７０ｍｍであるため、前記ナプキン装着布２２の幅寸法Ｗａは、４０〜８０ｍｍが好ましい。またこの生理用ショーツ１０は図３と図４に示す装着状態で、足ぐり２５，２５が身体の大腿部回りに位置するため、股布１９の幅寸法Ｗｂは従来のショーツよりも長くなっている。
【００５３】
図４に示す股下丈Ｈを３０ｍｍ以上にするためには、前記股布１９の幅寸法Ｗｂが最低限でも１００ｍｍ以上は必要である。よって前記ナプキン装着布２２の幅寸法Ｗａを１００としたときに股布１９の幅寸法Ｗｂは１２５以上必要である。また装着状態で、股上丈ＬＡに対して身丈ＬＢが２倍であると、股下丈Ｈはほぼ３００ｍｍとなる。この場合、股布１９の幅寸法Ｗｂは７００ｍｍ必要である。よってナプキン装着布２２の幅寸法Ｗａの１００に対する股布１０の幅寸法Ｗｂの比の最大は、１７５０である。
【００５４】
また、装着状態において、図４と図５に示すように、足ぐり２５，２５が大腿部回りに装着される構造とするためには、図１と図２に示す縫製状態において、所定幅寸法Ｗｂの股布１９が、前身頃１３と後身頃１４との間で帯状に渡る構造とするとともに、足ぐり回りの一部を形成する股布１９の左右両縁部が、前身頃１３と後身頃１４の下辺よりも下方へ突出していることが必要である。よって図１と図２の縫製状態では、股布１９の下辺が前記前身頃１３の下辺からｈ０だけ突出し、しかも股布１９の下辺がほぼ水平形状となる。
【００５５】
前記股下丈Ｈが４０ｍｍ程度のときに前記ｈ０は５５ｍｍ程度必要である。このｈ０の好ましい範囲は３０〜８０ｍｍである。
【００５６】
【実施例】
（実施例）
ポリエステル繊維およびナイロン繊維で、図１と図２に示す生理用ショーツを製作した。その生地は、１．３ｄｔｅｘのナイロン繊維を３４本撚りとしたナイロン糸が７９質量％と、１１ｄｔｅｘのポリウレタン繊維を４本撚りしたポリウレタン糸２１質量％とで、トリコットハーフ編みした織布である。
【００５７】
寸法は、図１に示すＬａを２６０ｍｍ、Ｌｂを２２０ｍｍ、Ｗｂを１４０ｍｍ、図６に示すＣ１を１４０ｍｍ、Ｃ２を１９０ｍｍとした。
【００５８】
この実施例の生理用ショーツに生理用ナプキンを装着し、試験者が着用して、生理用ナプキン３０がずれることなく股間部にフィットし、また股間部に食い込み力が作用しないように、レッグバンドと吊上げ弾性部材２８の弾性収縮力を調整した。
【００５９】
（比較例）
実施例と同じ生地で図７に示すハイレッグ型の生理用ショーツを製作した。身体に装着していない状態で、股上丈（実施例のＬａに相当）を２７０ｍｍ、身丈（実施例のＬｂに相当）を１４０ｍｍ、クロッチ部の幅寸法を７０ｍｍとした。
【００６０】
クロッチ部にはナプキン装着布を設けずまた図７に示すように後身頃に、弾性糸３を設けた。
【００６１】
この比較例の生理用ショーツに生理用ナプキンを装着し、試験者が着用して、生理用ナプキンがずれることなく股間部にフィットするように、レッグバンドと吊上げ弾性部材の弾性収縮力を調整した。
【００６２】
前記実施例と前記比較例での、レッグバンドの伸長率（歪）とそのときの収縮力（Ｎ）との関係、および吊上げ弾性部材の伸長率（歪）とそのときの収縮力（Ｎ）を測定した結果、および伸長率と収縮力から求めた縦弾性率（収縮力／引張歪）を以下の表１に示す。
【００６３】
また、標準体型のマネキンに実施例と比較例を装着したときのレッグバンドの伸長率（引張歪）を以下の表２に示す。
【００６４】
【表１】
0003748035.tif 000002
【００６５】
【表２】
0003748035.tif 000003
【００６６】
（評価）
図７に示す従来の生理用ショーツ（比較例）では、レッグバンドの締付力をかなり大きくしないと、クロッチ部に装着された生理用ナプキンが位置ずれする。したがって、表１に示すように、レッグバンドとして縦弾性率の大きいものを用いることが必要である。しかも、表２に示すように、装着時のレッグバンドの伸長率が４２．８％と非常に高い。表１に示す縦弾性率のレッグバンドを前記伸長率で使用するために、股部に対するレッグバンドの締付力は非常に大きくなり、よって股間部への食い込みが生じる。また股間部にレッグバンドの大きな締付力が作用しているため、生理用ナプキンの中央部を膣口に押し付けるためには、吊上げ弾性部材の引っ張り力を前記レッグバンドの締付力に打ち勝つように大きくすることが必要である。
【００６７】
よって、表１に示すように、比較例では、吊上げ弾性部材として縦弾性率が１２．３（Ｎ）以上の強いものを使用することが必要であり、吊上げ弾性部材の縦弾性率が、レッグバンドの縦弾性率に対して２０％以上も高いものとなっている。
【００６８】
これに対し、実施例は、レッグバンドが大腿部に位置するため、表２に示すように装着時のレッグバンドの伸長率は１３％程度である。またレッグバンドの縦弾性率も８．４４（Ｎ）、８．１４（Ｎ）と比較例に比べて弱いものでよい。よって身体に対するレッグバンドの加圧力が非常に小さくなる。
【００６９】
またレッグバンドが股間部に食い込まないため、吊上げ弾性部材２８の弾性力を過大にしなくても、生理用ナプキンの中央部を膣口に密着させることができる。また幅寸法の大きな股布１９で生理用ナプキンがしっかり保持されているので、ナプキンの位置ずれも生じない。よって、吊上げ弾性部材２８は弾性率は８．２５（Ｎ）、８．９１（Ｎ）程度の弱いものでよく、これはレッグバンドの縦弾性率とほぼ同等でよいことになる。したがって吊上げ弾性部材２８による食い込み感も薄れる。
【００７０】
以上から、本発明では、前記吊上げ弾性部材の縦弾性率が、前記レッグバンドの縦弾性率に対して±１０％の範囲内であればよく、また吊上げ部材の縦弾性率も、７．５〜１０Ｎの範囲でよい。
【００７１】
【発明の効果】
以上のように本発明では、レッグバンドが大腿部回りに位置し、股下に比較的大きな股下丈が生じるため、レッグバンドが股間部に食い込むことがない。また後身頃に設けられた吊上げ弾性部材により、股間部の生理用ナプキンが膣口に押し付けられ、液吸収能力を高めることができ、横漏れの心配がない。また吊上げ弾性部材の弾性力を強くしなくても、ナプキンを股間部に十分に押し付けることができる。よって締付感がなく、装着感触がよくなる。
【図面の簡単な説明】
【図１】本発明の生理用ショーツの一例を、前身頃と後身頃とが合わさる２つ折り状態で示した正面図、
【図２】本発明の生理用ショーツの一例を、前身頃と後身頃とが合わさる２つ折り状態で示した背面図、
【図３】本発明の生理用ショーツの装着状態を示す前方から見た斜視図、
【図４】本発明の生理用ショーツの装着状態を示す後方から見た斜視図、
【図５】クロッチ部を内側から示す部分斜視図、
【図６】クロッチ部の部分側面図、
【図７】従来の生理用ショーツを装着状態で示す後方から見た斜視図、
【符号の説明】
１０  生理用ショーツ
１１，１２  腰当て布
１３  前身頃
１４  後身頃
１６  腰天
１７  ウエストバンド
１８  クロッチ部
１９  股布
２１  防水布
２２  ナプキン装着布
２３  前縫合部
２４  後縫合部
２５  足ぐり
２８  吊上げ弾性部材
【図１】
0003748035.tif 000004
【図２】
0003748035.tif 000005
【図３】
0003748035.tif 000006
【図４】
0003748035.tif 000007
【図５】
0003748035.tif 000008
【図６】
0003748035.tif 000009
【図７】
0003748035.tif 000010